(57)【要約】【課題】  運転モードに応じた風向設定が可能で、かつ各種運転モードで実際の風向とリモコン表示とを一致させ、使用者に判りやすい空気調和機を提供する。  【解決手段】  室内ユニットの吹出口から吹出す風の向きを複数段階で変更する風向変更手段と、該風向変更手段を制御する制御部とを備え、制御部は、冷房運転時の風向設定の段階数を暖房運転時よりも減少させ、自動運転時には冷房運転時よりもさらに風向設定の段階数を減少させる。これにより、各種運転モードにより最適な風向設定を実現でき、また、リモコン表示と実際の風向とを一致させることができる。【選択図】  図８
2008128622.tif 000002
【特許請求の範囲】
【請求項１】
室内ユニットの吹出口から吹出す風の流れを複数段階で変更する風向変更手段と、運転モードに応じて前記風向変更手段を制御する制御部とを備え、前記制御部は、冷房運転モードと暖房運転モードとでは風向設定の段階数を異ならせたことを特徴とする空気調和機。
【請求項２】
前記制御部は、冷房運転モードにおける風向設定の段階数を暖房運転モードよりも少なく設定したことを特徴とする請求項１に記載の空気調和機。
【請求項３】
室内ユニットの吹出口から吹出す風の流れを複数段階で変更する風向変更手段と、運転モードに応じて前記風向変更手段を制御する制御部とを備え、前記制御部は、冷房運転モード、暖房運転モードおよび自動運転モードとでは風向設定の段階数を異ならせたことを特徴とする空気調和機。
【請求項４】
前記制御部では、冷房運転モードにおける風向設定の段階数を暖房運転モードよりも少なく設定し、さらに自動運転モードにおける風向設定の段階数を冷房運転モードよりも少なく設定したことを特徴とする請求項３に記載の空気調和機。
【請求項５】
前記風向変更手段は、室内ユニットの吹出口を覆う覆い姿勢と導風姿勢に切換え自在な導風パネルを備え、該導風パネルは、吹出口から吹出す空気を斜め上方向に導くよう、導風パネルの下端が第１の回動軸周りに回動自在にケーシングに軸支され、かつ、導風パネルが上側の延長パネルと下側のカバーパネルとに上下に分割され、カバーパネルが第２の回動軸の周りに開閉回動自在とされたことを特徴とする請求項１に記載の空気調和機。
【請求項６】
前記室内ユニットを遠隔制御する遠隔制御装置が設けられ、該遠隔制御装置は、複数の風向表示が可能な表示部を備え、該表示部は、運転モードに応じて設定された風向段階数に合わせて、複数の風向表示から選択的に表示することを特徴とする請求項１〜５のいずれかに記載の空気調和機。
【発明の詳細な説明】
【技術分野】
【０００１】
本発明は、室内ユニットの吹出口から吹出す風の向きを変更する風向変更手段を備えた空気調和機に関するものである。
【背景技術】
【０００２】
この種の空気調和機においては、運転時にリモコン等により風向設定を行うことができるが、冷房運転時には、室内ユニットより吹出す冷却空気は比重が重く降下する性質を有するので、室内空間上部に送風して、上部より冷房するのが快適である。そのため、室内の壁上部に設置している室内ユニットでは、風向変更範囲は狭い範囲で充分である。また、風向を下向け過ぎると、吹出口付近に結露するという問題もある。
【０００３】
一方、暖房運転時には、吹出口より吹出す暖気は上昇する性質を有するので、暖房運転時は床面へ向けて送風するのが好ましいが、室内の壁上部に設置した室内ユニットでは風向を調整して、居住者の足元近傍に送風する必要があり、広い風向変更範囲が必要である。
【０００４】
このように、運転モードによって好ましい風向方向と必要な風向変更範囲は異なる。
【０００５】
特許文献１は、浴室暖房乾燥機の風向調整に関するもので、衣類を乾燥させる衣類乾燥モード、浴室を暖める暖房モード、浴室内に風を送風させる涼風モードの各種運転モードに応じて、風向調整板の動作または移動範囲を異なるように設定することが記載されている。
【特許文献１】特開２００３−１７２５２４号公報
【発明の開示】
【発明が解決しようとする課題】
【０００６】
ところで、従来の空気調和機においては、遠隔制御装置（以下、リモコンという）による風向設定時の風向表示や風向切替段階数は運転モードによる差は無く同一数であり、リモコン表示上は同一の風向設定を行なうようになっている。
【０００７】
図９は従来の風向６段階設定用のリモコン表示を示す。リモコンに表示される吹き出し方向の数は全６段階で、冷房運転モードでは冷房上部５段階、暖房下部５段階である。
【０００８】
しかし、特に、中央の４段階についてはリモコンでは表示していても、その風向変更具合は、実際の空気調和機では、風向変更手段を見ただけでは区別がつかない。また、冷房運転モードと暖房運転モードとで同数の風向設定段階数を設けて、図９に示すようなリモコン表示をしているために、リモコン表示部が密になり過ぎて、冷房運転モードと暖房運転モードでの風向の違いを表示し切れない状況になっていた。このためリモコン表示に対する実際の風向を取扱説明書等に記載して、使用者の誤解を解消するように工夫していた。
【０００９】
本発明は、上記課題に鑑み、運転モードに応じた風向設定が可能で、かつ各運転モードにおける実際の風向とリモコン表示とを一致させ、使用者に判りやすい空気調和機の提供を目的としている。
【課題を解決するための手段】
【００１０】
上記目的を達成するため、本発明では、室内ユニットの吹出口から吹出す風の流れを複数段階で変更する風向変更手段と、運転モードに応じて前記風向変更手段を制御する制御部とを備え、前記制御部は、冷房運転モードと暖房運転モードとでは風向設定の段階数を異ならせたことを特徴とする。
【００１１】
上記構成によると、冷房運転モードと暖房運転モードとでは風向設定の段階数を異ならせているので、室内の壁上部に設置した室内ユニットの吹出口から吹出す風の向きは、暖房運転モードと冷房運転モードとで、それぞれ最適な風向設定段階数を選定することができる。
【００１２】
具体的には、室内の壁上部に室内ユニットを設置している場合、冷房運転時に吹出口から吹出す冷却空気は比重が重く降下する性質を有するので、冷却空気は室内空間上部に送風して上部から冷房するのが快適である。また、風向は下向けにし過ぎると吹出口付近が結露するので、そのような下向けは不要である。
【００１３】
一方、暖房運転時には、暖気は上昇する性質を有するので、床面に向けて送風するのが好ましいが、室内ユニットを室内の壁上部に設置した場合、風向を調整して居住者に近傍足元に送風する必要があり、広い範囲でかつ風向段階数を多くしなければならない。その故、冷房運転モードにおける風向変更範囲は暖房運転モードに比べて狭い範囲となる。
【００１４】
したがって、冷房運転モードの風向設定を暖房運転モードよりも少ない段階数に設定することで、快適な空気調和の環境を得ることができる。
【００１５】
さらに、運転モードとして、自動運転モードがある場合、制御部は、冷房運転モード、暖房運転モードおよび自動運転モードにより風向設定の段階数を異ならせる。
【００１６】
具体的には、冷房運転モードの風向設定を暖房運転モードの風向設定よりも少ない段階数とされ、さらに自動運転モードの風向設定を冷房運転モードよりも少ない段階数とする。
【００１７】
上記構成によると、リモコンから室内ユニットへの一方向性の遠隔制御システムの場合、室内ユニットの選択した運転モードが判らないので、自動運転モードでは、さらに、切換段階数を減少させ、自動運転モードにおける冷房時に真下向きの風向や暖房時に斜め上向きの風向が設定されないようにする。
【００１８】
なお、風向変更手段は、室内ユニットの吹出口を覆う覆い姿勢と導風姿勢に切換え自在な導風パネルを備え、該導風パネルは、吹出口から吹出す空気を斜め上方向に導くよう、導風パネルの下端が第１の回動軸周りに回動自在にケーシングに軸支され、かつ、導風パネルが上側の延長パネルと下側のカバーパネルとに上下に分割され、カバーパネルが第２の回動軸の周りに開閉回動自在とされた構成を例示することができる。
【００１９】
また、室内ユニットを遠隔制御するリモコンは、複数の風向表示が可能な表示部を備えている。この表示部は、運転モードに合わせて設定された風向段階数に応じて、風向表示を選択的に表示可能とされる。
【００２０】
上記構成によると、リモコン表示の風向と実際の風向とが、ほぼ一致するようになり、使用者に判りやすいリモコンを提供することができる。
【発明の効果】
【００２１】
以上のように、本発明によると、風向の設定切替の段階数を必要最小限にして、暖房時よりも冷房時を減少させることにより、風向選択が簡素化され、また、リモコン表示と実際の風向とをほぼ一致させることができ、使用者に判りやすい空気調和機を提供することができる。
【発明を実施するための最良の形態】
【００２２】
図１は本実施形態のセパレート型空気調和機の室内ユニットにおける導風パネルの覆い姿勢を示す断面図、図２は同じくその斜視図である。図３は室内ユニットのカバーパネルの開姿勢を示す断面図、図４は同じくその斜視図である。図５は室内ユニットにおける導風パネルの導風姿勢を示す断面図、図６は同じくその斜視図である。図７は風向変更手段の制御ブロック図、図８は各種運転モードでのリモコン表示である。
【００２３】
室内ユニット１は、図１及び図２に示すように、ケーシング２の上面に空気の吸込口３が形成され、ケーシング２の前面下部に空気の吹出口４が形成される。ケーシング２の内部には、吸込口３から吹出口４に至る内部空気通路が形成され、この内部空気通路に熱交換器５と室内ファン６とが配設される。
【００２４】
内部空気通路は、ケーシング上面の吸込口３から吸込んだ室内の空気をフィルタを通した後、熱交換器５で熱交換し、冷風又は温風として室内ファン６によって吹出口４から室内側に放出されるものである。この内部空気通路において、吹出口近傍で正負のイオンを放出し、この正負の除菌イオンを吹出される空気と共に室内に放出されるように、イオン発生装置４５を吹出口４の近傍に設けることができる。
【００２５】
室内ファン６は、クロスフローファンであって、その回転軸の軸方向が左右方向とされる。室内ファン６は、内部空気通路において熱交換器５よりも吹出口４側に配置される。
【００２６】
熱交換器５は、４つの熱交換器５ａ〜５ｄから構成され、これらのうち３つの熱交換器５ａ、５ｂ、５ｃが前後および上側の三方から室内ファン６を囲むように配置される。後側に位置する熱交換器５ｃの背面側には、さらに一つの補助熱交換器５ｄが後ろ側熱交換器５ｃと平行に配置される。各熱交換器５は、熱媒管と多数のフィンとから直方体形状に形成され、熱媒管の端部同士で他の熱交換器と接続され、冷凍サイクルの一部を構成するようになっている。
【００２７】
また、後ろ側の熱交換器５ｃ、５ｄと前側の熱交換器５ａ、５ｂとの間に切換弁（不図示）を設け、除湿運転時には、後ろ側の熱交換器５ｃ、５ｂを凝縮器として使用し、前側の熱交換器５ａ，５ｂで湿気を除去した空気を、後ろ側熱交換器５ｃ、５ｄの排熱を利用して暖めて吹出口４から放出する再熱除湿もできるようになっている。
【００２８】
吸込口３に対面して吸込んだ室内の空気から塵埃を除去するフィルタ２１が設けられる。フィルタ２１は、極細繊維がネット状に編成又は織成され、吸込口３に対面して配置することにより、吸引した空気から塵や埃を除去できるようになっている。
【００２９】
このフィルタ２１を清掃する清掃装置２２が設けられる。フィルタ清掃装置２２は、ケーシング２の上面前側と前面上側と前側の熱交換器５ａ、５ｂとで囲まれた空間部に配置される。フィルタ清掃装置２２は、ケーシング２内でフィルタ２１を移動させる側面視でＵ字形に湾曲した移動案内路２４と、該移動案内路２４に面してフィルタに付着した塵埃を吸引除去する塵埃除去ボックス２５と、フィルタ２１を移動案内路２４に沿って移動させる駆動手段２６とを備えている。
【００３０】
移動案内路２４は、吸込口３に対面した配置されたフィルタ２１の前端部をケーシング２の前部でＵ字状に折り返して熱交換器５側に導く経路となっている。そして、移動案内路２４は、フィルタ４の左右両端部を挿入可能となっている。
【００３１】
塵埃除去ボックス２５は、Ｕ字状の移動案内路２４の上側通路部分に配置される。塵埃除去ボックス２５は、断面半筒状の表側ボックス２７と同じく断面半筒状の裏側ボックス２８とが互いの開口を突き合せるように対向配置され、その間にフィルタ２１を通過させるようになっている。表裏のボックス２７，２８の端部には吸引ファン（不図示）が設けられ、この吸引ファンにより、フィルタ２１と略平行方向（左右方向）に空気を流すことで、フィルタ２１に付着した塵埃を除去する。この際、塵埃除去ボックス内に回転ブラシを設け、フィルタ２１に付着した塵埃を掻き取るようにしてもよい。
【００３２】
駆動手段２６は、モータ３０と、このモータ３０に連結されたギヤ機構３１等から構成される。最終のピニオンギヤが、フィルタ２１の左右方向の端部に形成されたラック部に噛合され、モータ３０を駆動することにより、フィルタ２１が移動案内路２４を往復動するようになっている。なお、フィルタ２１の移動をスムーズに行うために、フィルタ２１の一部を押圧するゴムローラを設けてもよい。
【００３３】
また、ケーシング２の前面上部にはフィルタ２１を着脱自在に挿入するフィルタ挿入口３３が形成される。このフィルタ挿入口３３は、Ｕ字形の移動案内路２４の湾曲部に連通され、フィルタ２１をフィルタ挿入口３３から移動案内路２４に着脱自在に介入できるようになっている。フィルタ挿入口３３は、吹出口４の上側に形成された矩形の開口であって、左右一対のフィルタに合わせて左右一対の開口が設けられている。このフィルタ挿入口３３を含み、ケーシング２の吹出口４よりも上側前面部は、前面パネル４４によって覆われる。前面パネル４４は、ケーシング２に対して着脱自在に取り付けられる。
【００３４】
吹出口４には、縦ルーバ３６ａと横ルーバ３６ｂとからなる風向変更装置３６が設けられ、吹出口４から吹出す風の向きを変更することができるようになっている。この風向変更装置３６は、ステッピングモータおよび伝達ギヤ機構により構成される公知構造のルーバ駆動部３７（図７参照）を備えている。
【００３５】
本実施形態では、前記風向変更装置３６とは別に、ケーシング２の前面に覆い姿勢と導風姿勢に切換え自在な導風パネル７が設けられる。この導風パネル７は、吹出口４から吹出す空気を斜め上方向で遠方に導くもので、導風パネル７の下端が第１の回動軸１０周りに回動自在にケーシング２に軸支されている。
【００３６】
導風パネル７は、第１の回動軸１０周りに回動により、吹出口４から略水平方向に配置されて吹出口４から吹出す空気を斜め上方向に導く導風姿勢と、ケーシング２の前面に沿って配置され、吹出口４を含むケーシングの前面の少なくとも下半分を覆う覆い姿勢とに切換え自在とされる。
【００３７】
導風パネル７の導風姿勢は、主として、冷房運転時に吹出口４から吹出された風を導風パネル７に沿って斜め上方に導き、室内の天井に沿って遠方に空気に導くときに採用される。
【００３８】
また、導風パネル７は、その覆い姿勢で、ケーシング２の前面下部から前面にかけて、吹出口４及びその周辺部分を被覆するように設置される。すなわち、導風パネル７は、吹出口４よりも大きく形成されており、ケーシング２の前面のほぼ全域を覆う大きさとされている。
【００３９】
さらに、導風パネル７は、主に吹出口４を覆うカバーパネル８と、該カバーパネル８の先端部に連続して設けられた延長パネル９とに分割される。カバーパネル８は延長パネル９に対して第２の回動軸１１の周りに開閉回動自在に支持される。そして、カバーパネル８は、延長パネル９をケーシング２の前面に沿わせた覆い姿勢を保ちつつ、第２の回動軸１１の周りの回動により、吹出口４を覆う閉姿勢と、下端が垂直方向に開いた開姿勢とに切り換え自在とされる。カバーパネル８の開姿勢は、主として暖房運転時や局所的に冷風を吹出させたい急速冷房運転時に、吹出口４から吹出した風を下方に導くときに採用される。カバーパネル８は、図３に示すように、第２の回動軸１１周りに回動して、「斜め下」、「下向き」、「真下」の姿勢をとることができる。
【００４０】
また、導風パネル７では、吹出口４の背面側の湾曲した通路壁に連続して風を遠方に導くことができるように、カバーパネル８が側面視で凹曲面形状に形成され、逆に、延長パネル９では、カバーパネル８から導かれた風がケーシング上面の吸込口３に吸込まれてショートサーキットを起こさないように内側に凸曲面形状に形成される。
【００４１】
また、カバーパネル８および延長パネル９は、吹出口４から導かれる冷風と室内の空気との接触により導風パネル７の表側に結露するのを防止するため、その内側が断熱ポリウレタンフォームで成形される。
【００４２】
次に、導風パネル７の回動機構について、さらに詳述する。延長パネル９は、吹出口４の左右外側位置で左右一対の脚部９ｂが垂設される。脚部９ｂの下端部は、ケーシング２に第１の回動軸１０周りに回動自在に軸支される。
【００４３】
また、導風パネル７を構成する延長パネル９の左右両端部には、回動アーム１６が取り付けられている。回動アーム１６には第１の回動軸１０を中心として円弧状に湾曲するラック１６ａが形成されている。ラック１６ａは、ケーシング２内に設置されているピニオン（図示略）と噛合しており、ピニオンがステッピングモータからなる導風パネル回動部３８（図７参照）を駆動することによって延長パネル９が回動軸線１０ａ周りに回動する。導風パネル７が吹出口４を開放する際には、カバーパネル８は通気部９ａを塞ぐ姿勢のままで延長パネル９とともに一体的に回動軸線１０ａ周りに回動する。これにより、延長パネル９は、ケーシング２に沿って配される覆い姿勢と斜め上方向に位置する導風姿勢とに切換え回動自在とされる。
【００４４】
また、脚部９ｂは、板状であってケーシング２に沿って湾曲形状に形成される。また、一対の脚部９ｂ間には吹出口４とほぼ同じ大きさの通気部９ａが形成される。
【００４５】
一方、カバーパネル８は、ケーシング２の左右幅とほぼ同じ左右幅を有する。従って、延長パネル９の脚部９ｂを覆い隠すように配置される。このカバーパネル８の上端は、延長パネル９に設けられた第２の回動軸１１の軸線１１ａ周りに回動自在に取り付けられる。
【００４６】
さらに、詳述すると、カバーパネル８の左右両端部にはケーシング２の左右方向と平行に第２の回動軸１１が形成される。第２の回動軸１１は、延長パネル９の脚部９ｂに形成された軸受部に回動自在に軸受けされる。この軸受部は、吹出口４上端よりも上方位置に配置される。
【００４７】
また、カバーパネル８には、第２の回動軸１１を中心として扇状ギヤ１５が設けられる。そして、延長パネル９がケーシング２に接近した覆い姿勢で、扇状ギヤ１５がケーシング内に設置された駆動ギヤに噛合する。そして、駆動ギヤの回転駆動動作により、これに噛合う扇状ギヤ１５が回転し、カバーパネル８が、「斜め下」、「下向き」、「真下」および閉姿勢の間で回動できるようになっている。
【００４８】
この駆動ギヤは、第１の回動軸１０周りに導風パネルを回動させるステッピングモータとは別のステッピングモータのモータ軸に連結される。このステッピングモータはカバーパネル回動部３９を構成する。
【００４９】
上述のとおり、導風パネル７およびカバーパネル８の回動動作により吹出口４から吹出す風向が変更される。導風パネル回動部３８およびカバーパネル回動部３９により風向変更手段が構成される。なお、風向変更手段として、風向変更装置３６を追加することもできる。
【００５０】
導風パネル７は、導風パネル回動部３８により、第１の回動軸１０周りに回動して吹出方向を略水平方向から斜め上方向に吹出す導風姿勢に切り換えられる。また、カバーパネル８は、カバーパネル回動部３９により、第２の回動軸１１周りに回動して吹出方向を「斜め下」「下向き」「真下」に変更することができる。「斜め下」状態は、図３に示すように、カバーパネル８が最も開放した状態である。「真下」状態は、カバーパネル８が垂直下方まで回動した状態である。「下向き」状態は、カバーパネル８の「斜め下」状態と「真下」状態の中間状態である。このような吹出口４から吹出す風の向きは、横ルーバ３６ｂの回動角の変更動作との協働によっても達成することができる。
【００５１】
なお、カバーパネル８には、回動軸線１１ａを挟んで反対側にシール部１２が形成される。このシール部１２に対向して、ケーシングの吹出口４の上方位置でケーシング左右幅方向Ａに溝部１９が形成される。溝部１９は、カバーパネル８が延長パネル９に対して下端を開放した開姿勢をとるとき、シール部１２がケーシング２に接近する方向に回動するのを許容するために形成される。そして、溝部１９の下壁部がシール部１２と当接する。
【００５２】
延長パネル９には、シール部１２と延長パネル９との間の隙間をシールするシール材１７が配設される。また、ケーシング２の吹出口４の下縁には、導風パネル７とケーシング２との間の隙間をシールするシール材１８が配設される。
【００５３】
また、ケーシング２の前面上部には、運転表示部４０とリモコンの第１の受信部４１が並んで配設される。運転表示部４０および第１の受信部４１の配置は、導風パネル７の覆い姿勢で、導風パネル７の上端よりも上側に位置する。また、ケーシング２の下面で、吹出口４および導風パネル７から外れた位置に、第１の受信部４１とは別に第２の受信部４２が配設される。
【００５４】
運転表示部４０では、ＬＥＤにより、除菌イオンの運転状況や室内の空気の汚れ具合を表示する。また、設定温度や室外の温度を表示する。第１受信部４１および第２の受信部４２では、リモコン５０からの赤外線信号を受信する。
【００５５】
リモコン５０は、赤外線信号により遠隔制御信号を出力する。図７はリモコンと室内ユニット１の風向変更手段との関係を示す風向制御ブロック図である。図に示すように、リモコン５０には、その操作部に運転モードスイッチ５１および風向切換スイッチ５２が配設される。運転モードスイッチ５１は、「冷房」「暖房」「自動」「除湿」の各運転モードスイッチが設けられる。
【００５６】
風向切換スイッチ５２は、各運転モードによって、スイッチを押す毎に風向設定が順次切り換わる。冷房／除湿運転モードでは、スイッチを押す毎に、「自動」「斜め上」「斜め下」の３通りの風向設定に順次切り換わる。
【００５７】
暖房運転モードでは、スイッチを押す毎に、「自動」「斜め下」「下向き」「真下」の４通りの風向設定に順次切り換わる。自動運転モードでは、スイッチを押す毎に「自動」「斜め下」の２通りの風向設定に順次切り換わる。
【００５８】
運転モードスイッチ５１および風向切換スイッチ５２からの操作信号は、マイクロコンピュータからなるリモコン側の制御部５３に入力され、所定の演算処理を行った後、室内ユニット１側の制御部（図示略）を経て、風向変更手段３７，３８，３９を制御する。
【００５９】
また、リモコン５０には、運転状態を表示する表示部５４が設けられ、設定された風向や温度表示などが行われる。図８は各運転モードにおけるリモコン表示である。図８（ａ）は冷房／除湿運転時のリモコン表示を示す。「自動」「斜め上」「斜め下」の３通りの風向設定となる。図８（ｂ）は暖房運転時のリモコン表示を示す。「自動」「斜め上」「斜め下」「真下」の４通りの風向設定となる。図８（ｃ）は自動運転時のリモコン表示を示す。「自動」「斜め下」の２通りの風向設定となる。
【００６０】
上記構成において、運転停止時には、導風パネル７がケーシング２の前面に沿ってケーシング２のほぼ全面に配置された状態となる。運転モードスイッチ５１により冷房または除湿運転モードを選択した場合、リモコン５０の風向設定は、「自動」「斜め上」「斜め下」の３通りとなり、風向切換スイッチ５２を押す毎に、３通りの風向設定が順次切換え表示される。
【００６１】
運転モードスイッチ５１により暖房運転モードを選択した場合、リモコン５０の風向設定は、「自動」「斜め下」「下向き」、「真下」の４通りとなり、風向切換スイッチ５２を押す毎に、４通りの風向設定が順次切換え表示される。
【００６２】
運転モードスイッチ５１により自動運転モードを選択した場合、リモコン５０の風向設定は、「自動」「斜め下」の２通りとなり、風向切換スイッチ５２を押す毎に、２通りの風向設定が順次切換え表示される。
【００６３】
そして、冷房運転時に風向「自動」を選択すると、運転開始直後はカバーパネル８を図３に示すように開回動して冷気を斜め下向きに送風してまず居住空間を冷やした後に、一定時間（１０分程度）経過するか、室温が設定温度に達すると、カバーパネル８を元の閉姿勢に戻し、次に、導風パネル７を第１の回動軸１０周りに覆い姿勢から導風姿勢に切換え、風向を斜め上に向けて冷気を天井に沿って送風する。これにより、運転初期の素早い冷風感と安定後の冷気を感じない快適な気流を得ることができる。
【００６４】
冷房運転モードで、運転初期より連続して居住空間に向けて冷気を得たい場合は、風向設定を「斜め下」に選択し、冷気を感じたくない人は「斜め上」を選択することができる。
【００６５】
暖房運転時に風向「自動」を選択すると、室内熱交換器５の温度が上昇するまでは冷たい空気を居住者方向に送風しないように風向を斜め後ろにして、微風で送風する。例えば、カバーパネル８を第２の回動軸１１周りにわずかに回動する。そして、熱交換器温度が少し上昇すると、カバーパネル８を第２の回動軸１１周りに回動して、風向を下向きにする。
【００６６】
この段階では、人に向かって送風すると、まだ冷風感があるため、風向を下向きにして、室内ユニット１の近傍の床面を温める。熱交換器の温度が所定温度に達して、人に向かって送風しても冷風感を感じさせない程度に上昇すると、まずは部屋全体の床面を暖めるように、カバーパネル８を第２の回動軸１１周りにさらに開方向に回動し、風向を斜め下向きに変化させ強風で送風する。室温が設定温度に達すると、今度は、カバーパネル８を第２の回動軸１１周り閉方向に回動し、風向を「真下」に向けて居住者に気流を感じさせない空調を行う。
【００６７】
室内ユニット１より離れた位置に居る居住者が近くに暖気を得たい場合は、室内ユニット１と人との位置関係により、風向設定を「斜め下」や「下向き」を選択することができる。
【００６８】
自動運転モードで、風向「自動」の場合、外気温度と室内温度等により、室内ユニットが選択した運転モードによって、上記冷房の風向「自動」又は暖房の風向「自動」の風向制御を行なう。そして、風向を変更したい時には「斜め下」に風向を変化させることができる。
【００６９】
上述のとおり、実際にはほとんど使用されることがない吹出方向の設定数を減少させ、これによりリモコンでの表示と実際の風向とが明確になるようにしたので、リモコン表示と実際の表示との関係で誤認識されるのを防止することができる。また、冷房運転時の風向設定の段階数を暖房運転時よりも減少させ、自動運転時には冷房運転時よりもさらに風向設定の段階数を減少させているので、各種運転モードに応じて最適な風向設定を実現することができる。
【００７０】
なお、本発明は、上記実施形態に限定されるものではなく、本発明の範囲内で多くの修正・変更を加えることができるのは勿論である。
【図面の簡単な説明】
【００７１】
【図１】本発明の第１実施形態を示す空気調和機の室内ユニットの断面図
【図２】図１の室内ユニットの外観を示す斜視図
【図３】図１における室内ユニットのカバー体が回動した状態を示す断面図
【図４】図３の室内ユニットの外観を示す斜視図
【図５】図１における室内ユニットの導風パネルが回動した状態を示す断面図
【図６】図５の室内ユニットの外観を示す斜視図
【図７】風向変更手段を制御する制御ブロック図
【図８】（ａ）（ｂ）（ｃ）は各種運転モードでのリモコン表示を示す図
【図９】従来の風向５段階設定用のリモコン表示を示す図
【符号の説明】
【００７２】
１      室内ユニット
２      ケーシング
３      吸込口
４      吹出口
５      熱交換器
６      室内ファン
７      導風パネル
８      カバーパネル
９      延長パネル
９ａ    通気部
９ｂ    脚部
１０    第１回動軸
１１    第２回動軸
２１    フィルタ
２２    フィルタ清掃装置
２４    移動案内路
２５    塵埃除去ボックス
２６    駆動手段
２７    表側ボックス
２８    裏側ボックス
３０    モータ
３１    ギヤ機構
３７    ルーバ駆動部
３８    導風パネル回動部
３９    カバーパネル駆動部
５０    リモコン（遠隔制御装置）
５１    運転モードスイッチ
５２    風向切換スイッチ
５４    リモコン表示部
【図１】
2008128622.tif 000003
【図２】
2008128622.tif 000004
【図３】
2008128622.tif 000005
【図４】
2008128622.tif 000006
【図５】
2008128622.tif 000007
【図６】
2008128622.tif 000008
【図７】
2008128622.tif 000009
【図８】
2008128622.tif 000010
【図９】
2008128622.tif 000011